(57)【要約】      （修正有）【課題】許可されていない人物が冷蔵庫を開けることを防ぐ開放ロックシステムを備えた冷蔵庫の構造を提供する。【解決手段】冷蔵庫１は、２つのドア２、２’と、２つの本体部とを含む開放ロック装置３を備えた平行六面体の本体を有しており、１つの本体部がドア２に設けられるとともに、冷蔵庫の側部に位置するもう１つの本体部の孔にピンを挿通させるコードシステムタイプのロック部材を備えている。【選択図】図１
0003203045.tif 000002
【実用新案登録請求の範囲】
【請求項１】
１つまたは２つのドア（２、２’）を備えた平行六面体の本体（１）を含む、遮断装置を有する冷蔵庫の構造であって、上部がドア（２’）の下面にわずかにかかるＬ字形遮断装置（３）を有し、この装置（３）が２つの本体部（４、５）を含み、前記本体部（４）が、前記ドア（２）に設けられるとともに、冷蔵庫（１）の側部に位置する前記本体部（５）の孔（８）にピン（７）を挿通させるコードシステム（６）のようなロック部材（６）を備えていることを特徴とする、遮断装置を有する冷蔵庫の構造。
【請求項２】
第１実施例において、前記遮断装置がカードシステム（１０）を備えていることを特徴とする請求項１に記載の遮断装置を有する冷蔵庫の構造。
【請求項３】
第２実施例において、前記遮断装置が音声作動システム（１１）を備えていることを特徴とする請求項１に記載の遮断装置を有する冷蔵庫の構造。
【請求項４】
第３実施例において、前記遮断装置がデジタルプリントシステム（１２）を備えていることを特徴とする請求項１に記載の遮断装置を有する冷蔵庫の構造。
【請求項５】
第４実施例において、前記遮断装置がシャッターシステム（１３）を備えていることを特徴とする請求項１に記載の遮断装置を有する冷蔵庫の構造。
【請求項６】
第５実施例において、前記遮断装置が切り換えシステム（１４）を備えていることを特徴とする請求項１に記載の遮断装置を有する冷蔵庫の構造。
【請求項７】
第６実施例において、前記遮断装置がリモートコントロールシステム（１５）を備えていることを特徴とする請求項１に記載の遮断装置を有する冷蔵庫の構造。
【請求項８】
第７実施例において、前記遮断装置がロックシステム（１６）を備えており、このシステムが前記ドア（２）の上端部と前記ドア（２’）の下端部のそれぞれに位置する２つのＬ字形平行ロッド（１７）を含み、そこに設けられた孔（１８）が位置合わせされ、ロック部材（１９）を挿通させるようになっていることを特徴とする請求項１に記載の遮断装置を有する冷蔵庫の構造。
【請求項９】
第８実施例において、前記遮断装置が掌形認証デジタルシステム（２０）を備えており、これを介して、フィルム（２１）が冷蔵庫（１）の任意の箇所に取り付けられるとともに前記遮断装置（３）に内部接続されているか、あるいは、前記遮断装置（３）自体に位置することを特徴とする請求項１に記載の遮断装置を有する冷蔵庫の構造。
【考案の詳細な説明】
【技術分野】
【０００１】
本考案は、冷蔵庫全般の技術分野における、遮断装置を備えた冷蔵庫の構造に関し、前記装置によって、冷蔵庫が周囲の人間によって開けられることを防ぐものである。
【背景技術】
【０００２】
現在、冷蔵庫は、ホテル、レストラン、研究室、そして当然ながら家庭などにおいて、多くの方法で多目的に用いられているが、ほとんどの場合において、同じ環境を共有するすべての人間が出し入れしたり消費したりすることができない多量の食品や薬物を貯蔵することを考慮すると、周囲のすべての人間によって開けられることを防ぐシステムを備えた冷蔵庫はないため、大きな問題が生じる。
【考案の概要】
【考案が解決しようとする課題】
【０００３】
従って、上述の問題を解消するため、本考案のロック装置を備えた冷蔵庫が開発された。
【課題を解決するための手段】
【０００４】
この冷蔵庫はそのドアに遮断装置を備えており、そこに収容されている製品を使用したり出し入れたりすることを防ぐものである。
【図面の簡単な説明】
【０００５】
【図１】コードシステムを有する遮断装置を備えた冷蔵庫における新規構造の正面図である。
【図２】コードシステムを有する遮断装置を備えた冷蔵庫の部分斜視図である。
【図３】開放状態における、コードシステムを有する遮断装置を備えた冷蔵庫の斜視図である。
【図４】カードシステムを有する遮断装置を備えた冷蔵庫の第１実施例の正面図である。
【図５】カードシステムを有する遮断装置を備えた冷蔵庫の部分斜視図である。
【図６】開放状態における、カードシステムを有する遮断装置を備えた冷蔵庫の斜視図である。
【図７】音声作動システムを有する遮断装置を備えた冷蔵庫の第２実施例の正面図である。
【図８】音声作動システムを有する遮断装置を備えた冷蔵庫の部分斜視図である。
【図９】開放状態における、音声作動システムを有する遮断装置を備えた冷蔵庫の斜視図である。
【図１０】デジタルプリントシステムを有する遮断装置を備えた冷蔵庫の第３実施例の正面図である。
【図１１】デジタルプリントシステムを有する遮断装置を備えた冷蔵庫の部分斜視図である。
【図１２】開放状態における、デジタルプリントシステムを有する遮断装置を備えた冷蔵庫の斜視図である。
【図１３】シャッターシステムを有する遮断装置を備えた冷蔵庫の第４実施例の正面図である。
【図１４】シャッターシステムを有する遮断装置を備えた冷蔵庫の部分斜視図である。
【図１５】開放状態における、シャッターシステムを有する遮断装置を備えた冷蔵庫の斜視図である。
【図１６】切り換えシステムを有する遮断装置を備えた冷蔵庫の第５実施例の正面図である。
【図１７】切り換えシステムを有する遮断装置を備えた冷蔵庫の部分斜視図である。
【図１８】開放状態における、切り換えシステムを有する遮断装置を備えた冷蔵庫の斜視図である。
【図１９】リモートコントロールシステムを有する遮断装置を備えた冷蔵庫の第６実施例の正面図である。
【図２０】リモートコントロールシステムを有する遮断装置を備えた冷蔵庫の部分斜視図である。
【図２１】開放状態における、リモートコントロールシステムを有する遮断装置を備えた冷蔵庫の斜視図である。
【図２２】ロックシステムを有する遮断装置を備えた冷蔵庫の第７実施例の正面図である。
【図２３】ロックシステムを有する遮断装置を備えた冷蔵庫の部分斜視図である。
【図２４】掌形認証デジタルシステムを有する遮断装置を備えた冷蔵庫の第８実施例の正面図である。
【図２５】掌形認証デジタルシステムを有する遮断装置を備えた冷蔵庫の部分斜視図である。
【図２６】開放状態における、掌形認証デジタルシステムを有する遮断装置を備えた冷蔵庫の斜視図である。
【考案を実施するための形態】
【０００６】
本実施例は、添付の図面を考察することで、よりよく理解されるであろう。図面は上記の概略を示している。
【０００７】
図１〜図３に関し、本冷蔵庫は、２つのドア（２、２’）を備えた平行六面体の本体（１）と、上部がドア（２’）の下面にわずかにかかるＬ字形の遮断装置（３）を有している。この装置（３）は２つの本体部（４、５）を含み、本体部（４）はドア（２）に設けられて、冷蔵庫（１）の側部に位置する本体部（５）の穴（８）にピン（７）を挿通させるコードシステムなどのロック部材（６）を備えている。
【０００８】
あるいは、図４〜図６のように、第１実施例において、遮断装置はカードシステム（１０）を備えている。
【０００９】
あるいは、図７〜図９のように、第２実施例において、遮断装置は音声作動システム（１１）を備えている。
【００１０】
あるいは、図１０〜図１２のように、第３実施例において、遮断装置はデジタルプリントシステム（１２）を備えている。
【００１１】
あるいは、図１３〜図１５のように、第４実施例において、遮断装置はシャッターシステム（１３）を備えている。
【００１２】
あるいは、図１６〜図１８のように、第５実施例において、遮断装置は切り換えシステム（１４）を備えている。
【００１３】
あるいは、図１９〜図２１のように、第６実施例において、遮断装置はカードシステム（１５）を備えている。
【００１４】
あるいは、図２２及び図２３のように、第７実施例において、遮断装置は、それぞれ、ドア（２）の上端部とドア（２’）の下端部に位置する２つのＬ字形平行ロッド（１７）を含むロックシステム（１６）を備えており、そこに、位置合わせされた孔（１８）を設けて、ロック部材（１９）を挿通させるようになっている。
【００１５】
あるいは、図２４及び図２５のように、第８実施例において、遮断装置は、掌形認証デジタルシステム（２０）を備えており、これを介して、冷蔵庫（１）の任意の箇所にフィルム（２１）が取り付けられるとともに、遮断装置（３）と内部接続されている。
【００１６】
さらに、図２６のように、フィルム（２１）は、遮断装置（３）自体に位置していてもよい。
【００１７】
このように構成された遮断装置を冷蔵庫に用いることは、当該装置を、ピン（７）を孔（８）内に押し込む作動システムと連動させるだけでよいので、非常に簡単である。ドアをロック解除するためには、遮断装置を再度作動させるだけでよい。
【００１８】
従って、この遮断装置を備えた冷蔵庫によって、冷蔵庫へのアクセスを防ぐことができ、不正使用やプライバシーに対してより安全性を確保することができるという利点が得られる。
【００１９】
よって、本実用新案登録請求の範囲は、上述の例示的な遮断装置に限定されるものではなく、請求の範囲に記載された限定およびその均等物に及ぶものである。
【図１】
0003203045.tif 000003
【図２】
0003203045.tif 000004
【図３】
0003203045.tif 000005
【図４】
0003203045.tif 000006
【図５】
0003203045.tif 000007
【図６】
0003203045.tif 000008
【図７】
0003203045.tif 000009
【図８】
0003203045.tif 000010
【図９】
0003203045.tif 000011
【図１０】
0003203045.tif 000012
【図１１】
0003203045.tif 000013
【図１２】
0003203045.tif 000014
【図１３】
0003203045.tif 000015
【図１４】
0003203045.tif 000016
【図１５】
0003203045.tif 000017
【図１６】
0003203045.tif 000018
【図１７】
0003203045.tif 000019
【図１８】
0003203045.tif 000020
【図１９】
0003203045.tif 000021
【図２０】
0003203045.tif 000022
【図２１】
0003203045.tif 000023
【図２２】
0003203045.tif 000024
【図２３】
0003203045.tif 000025
【図２４】
0003203045.tif 000026
【図２５】
0003203045.tif 000027
【図２６】
0003203045.tif 000028
【手続補正書】
【提出日】平成27年12月16日(2015.12.16)
【手続補正１】
【補正対象書類名】実用新案登録請求の範囲
【補正対象項目名】全文
【補正方法】変更
【補正の内容】
【実用新案登録請求の範囲】
【請求項１】
１つまたは２つのドア（２、２’）を備えた平行六面体の本体（１）を含む、遮断装置を有する冷蔵庫の構造であって、上部がドア（２’）の下面にわずかにかかるＬ字形遮断装置（３）を有し、この装置（３）が２つの本体部（４、５）を含み、前記本体部（４）が、前記ドア（２）に設けられるとともに、冷蔵庫（１）の側部に位置する前記本体部（５）の孔（８）にピン（７）を挿通させるコードシステム（６）のようなロック部材（６）を備えていることを特徴とする、遮断装置を有する冷蔵庫の構造。
【請求項２】
前記遮断装置がカードシステム（１０）を備えていることを特徴とする請求項１に記載の遮断装置を有する冷蔵庫の構造。
【請求項３】
前記遮断装置が音声作動システム（１１）を備えていることを特徴とする請求項１に記載の遮断装置を有する冷蔵庫の構造。
【請求項４】
前記遮断装置がデジタルプリントシステム（１２）を備えていることを特徴とする請求項１に記載の遮断装置を有する冷蔵庫の構造。
【請求項５】
前記遮断装置がシャッターシステム（１３）を備えていることを特徴とする請求項１に記載の遮断装置を有する冷蔵庫の構造。
【請求項６】
前記遮断装置が切り換えシステム（１４）を備えていることを特徴とする請求項１に記載の遮断装置を有する冷蔵庫の構造。
【請求項７】
前記遮断装置がリモートコントロールシステム（１５）を備えていることを特徴とする請求項１に記載の遮断装置を有する冷蔵庫の構造。
【請求項８】
前記遮断装置がロックシステム（１６）を備えており、このシステムが前記ドア（２）の上端部と前記ドア（２’）の下端部のそれぞれに位置する２つのＬ字形平行ロッド（１７）を含み、そこに設けられた孔（１８）が位置合わせされ、ロック部材（１９）を挿通させるようになっていることを特徴とする請求項１に記載の遮断装置を有する冷蔵庫の構造。
【請求項９】
前記遮断装置が掌形認証デジタルシステム（２０）を備えており、これを介して、フィルム（２１）が冷蔵庫（１）の任意の箇所に取り付けられるとともに前記遮断装置（３）に内部接続されているか、あるいは、前記遮断装置（３）自体に位置することを特徴とする請求項１に記載の遮断装置を有する冷蔵庫の構造。